(57)【要約】【課題】相対的に変位可能な一方の部材と他方の部材との間の応答変形を検出する。【解決手段】一方の部材又は他方の部材の一方に追従して変位するとともに、複数の移動体２０を一列に並べてなる収納部１６〜１９が両部材の変位方向に複数列に設けられ、かつ各収納部１６〜１９からそれぞれ移動体２０を一つずつ落とし可能な移動体収納手段１１と、一方の部材又は他方の部材の他方に追従して変位するとともに、両部材の相対変位量に応じて、何れかの収納部１６〜１９から落とされる一つの移動体２０のみを通過させる第１仕切り板３２と、第１仕切り板３２が一つの移動体２０を通過させる際に、他の移動体２０が第１仕切り板３２を通過するのを規制する第２仕切り板３４とを有する移動体制御手段３０とを備え、各収納部１６〜１９の各移動体２０には、それぞれＩＣタグ２１が設けられるとともに、各移動体２０の各ＩＣタグ２１には、各移動体２０が属する各収納部１６〜１９を識別するための識別情報が格納されている。【選択図】図１
2007232706.tif 000002
【特許請求の範囲】
【請求項１】
相対的に変位可能な一方の部材と他方の部材との間に設けられ、両部材の相対変位を検出するための応答変形検出装置であって、
前記一方の部材又は前記他方の部材の一方に追従して変位するとともに、複数の移動体を一列に並べてなる収納部が前記両部材の変位方向に複数列に設けられ、かつ各収納部からそれぞれ移動体を一つずつ落とし可能な移動体収納手段と、
前記一方の部材又は前記他方の部材の他方に追従して変位するとともに、両部材の相対変位量に応じて、前記何れかの収納部から落とされる一つの移動体のみを通過させる第１仕切り板と、該第１仕切り板が一つの移動体を通過させる際に、他の移動体が第１仕切り板を通過するのを規制する第２仕切り板とを有する移動体制御手段とを備え、
前記各収納部の各移動体には、それぞれＩＣタグが設けられるとともに、各移動体の各ＩＣタグには、各移動体が属する各収納部を識別するための識別情報が格納されていることを特徴とする応答変形検出装置。
【請求項２】
前記移動体収納手段は、前記複数の収納部からなる第１移動体収納部と、該第１移動体収納部の各収納部から落とされる移動体を受け取り、ランダムに配列した状態で収納する第２移動体収納部とからなり、前記第１移動体収納部と前記第２移動体収納部との間に、上下方向に一つの移動体を収納させ得る間隔をおいて前記第１仕切り板と第２仕切り板とが設けられていることを特徴とする請求項１に記載の応答変形検出装置。
【請求項３】
前記第１仕切り板には、一つの移動体を通過させ得る大きさの第１貫通孔が設けられ、前記第２仕切り板には、前記第１貫通孔に対応する部分に該第１貫通孔の上方の部分を閉塞する閉塞部が設けられるとともに、該閉塞部の変位方向の両側に一つの移動体を通過させ得る大きさの第２貫通孔及び第３貫通孔が設けられていることを特徴とする請求項１又は２に記載の応答変形検出装置。
【請求項４】
前記第２移動体収納部の入口部には、前記移動体の一つの重量で該入口部を閉塞し、前記移動体の二つ以上の重量で該入口部を開放させる開閉蓋が設けられていることを特徴とする請求項２又は３に記載の応答変形検出装置。
【請求項５】
前記第２移動体収納部の近傍には、該第２移動体収納部内に収納される各移動体のＩＣタグに格納されている情報を読み取るための読み取り手段が設けられていることを特徴とする請求項２から４の何れかに記載の応答変形検出装置。
【請求項６】
前記第２仕切り板の上方には、一つの移動体を収納させ得る間隔をおいて第３仕切り板が設けられ、該第３仕切り板には、前記第２仕切り板の閉塞部の上方に対応する部分に第４貫通孔が設けられ、該第４貫通孔の両側に前記第２仕切り板の第２貫通孔及び第３貫通孔の上方の部分を閉塞する閉塞部が設けられ、該閉塞部の外側に第５貫通孔及び第６貫通孔が設けられていることを特徴とする請求項２から５の何れかに記載の応答変形検出装置。
【請求項７】
前記第１移動体収納部の収納部の列番号の最大値の絶対値をＮａ、仕切り板の数をＮｄ、第ｉ仕切り板の貫通孔の数をＮｏ（ｉ）、Ｎｄ≧２とすると、ｉ＝１〜Ｎｄにおいて、第ｉ仕切り板の貫通孔の数Ｎｏ（ｉ）は、以下の式で求められることを特徴とする請求項１から６の何れかに記載の応答変形検出装置。
ｉ≦Ｎａ−１のとき、Ｎｏ（ｉ）＝ｉ
ｉ≧Ｎａかつｉ＝Ｎａ＋２×ｍのとき、Ｎｏ（ｉ）＝Ｎａ
ｉ≧Ｎａかつｉ＝Ｎａ＋２×ｍ＋１のとき、Ｎｏ（ｉ）＝Ｎａ＋１
（ここで、ｍ＝０、１、２……）
【請求項８】
相対的に変位可能な一方の部材と他方の部材との間に生じる相対変位を検出するための応答変形検出方法であって、
前記一方の部材又は前記他方の部材の一方に追従して変位するとともに、複数の移動体を一列に並べてなる収納部が前記両部材の変位方向に複数列に設けられ、かつ各収納部からそれぞれ移動体を一つずつ落とし可能な移動体収納手段と、
前記一方の部材又は前記他方の部材の他方に追従して変位するとともに、両部材の相対変位量に応じて、前記何れかの収納部から落とされる一つの移動体のみを通過させる第１仕切り板と、該第１仕切り板が一つの移動体を通過させる際に、他の移動体が第１仕切り板を通過するのを規制する第２仕切り板とを有する移動体制御手段とを備え、
前記各収納部の各移動体には、それぞれＩＣタグが設けられるとともに、各移動体の各ＩＣタグには、各移動体が属する各収納部を識別するための識別情報が格納されている応答変形検出装置を用い、
前記移動体収納手段から落とされた移動体に設けられているＩＣタグに格納されている情報を読み取り手段によって読み取ることにより、前記両部材の累積変形、最大変形、又は残留変形を検出することを特徴とする応答変形検出方法。
【発明の詳細な説明】
【技術分野】
【０００１】
本発明は、応答変形検出装置及び応答変形検出方法に関し、特に、建物等の構造物の上階と下階との間に生じる応答変形（累積変形、最大変形、及び残留変形）を検出するのに好適な応答変形検出装置及び応答変形検出方法に関する。
【背景技術】
【０００２】
一般に、超高層ビル等の建築物には、制振ダンパーや鋼材を使った塑性ダンパーが取り付けられ、地震の発生時に地震エネルギーを吸収して建築物の揺れを抑えるとともに、建築物が損傷等するのを防止している。
【０００３】
このような構成の制振ダンパーや塑性ダンパーは、繰り返し荷重を受けることによって劣化するため、新しいものと交換する必要があるが、どの程度の繰り返し荷重を受けたかを測定する装置は高価なものであり、またメンテナンスにも費用がかかるため、殆どの建築物に使用されておらず、設計の段階で交換時期を見込んで建築物に制振ダンパーや塑性ダンパーを取り付けているのが現状である。
【０００４】
例えば、特許文献１には、地震時の建築物の揺れや制振ダンパーの変形を計測する装置が記載されているが、この装置は、建物の変形に応じて複数本のカーボンファイバを切断させて、通電状況の違いから変形の最大値を読み取るように構成したものであるため、一度切断されたカーボンファイバを元に戻すことができないため、新しいものと交換しなければならず、装置の維持管理に費用がかかる。
【０００５】
一方、変位計や歪ゲージ等を用いて建築物の揺れや制振ダンパーの変形を計測することも行われているが、変位計や歪ゲージ等と計測器とを配線を介して接続し、常時モニタリングしなければならないため、その作業に非常に手間がかかる。
【特許文献１】特開平９−９６５０２号公報
【発明の開示】
【発明が解決しようとする課題】
【０００６】
本発明は、上記のような従来の問題に鑑みなされたものであって、製作費が安く、何度でも繰り返し使用することができて、メンテナンス費用を安く抑えることができ、常時モニタリングする必要がなく、地震や強風を経験した後に計測することが可能な応答変形検出装置及び応答変形検出方法を提供することを目的とする。
【課題を解決するための手段】
【０００７】
上記のような課題を解決するために、本発明は、以下のような手段を採用している。
すなわち、請求項１に係る発明は、相対的に変位可能な一方の部材と他方の部材との間に設けられ、両部材の相対変位を検出するための応答変形検出装置であって、前記一方の部材又は前記他方の部材の一方に追従して変位するとともに、複数の移動体を一列に並べてなる収納部が前記両部材の変位方向に複数列に設けられ、かつ各収納部からそれぞれ移動体を一つずつ落とし可能な移動体収納手段と、前記一方の部材又は前記他方の部材の他方に追従して変位するとともに、両部材の相対変位量に応じて、前記何れかの収納部から落とされる一つの移動体のみを通過させる第１仕切り板と、該第１仕切り板が一つの移動体を通過させる際に、他の移動体が第１仕切り板を通過するのを規制する第２仕切り板とを有する移動体制御手段とを備え、前記各収納部の各移動体には、それぞれＩＣタグが設けられるとともに、各移動体の各ＩＣタグには、各移動体が属する各収納部を識別するための識別情報が格納されていることを特徴とする。
【０００８】
本発明による応答変形検出装置によれば、一方の部材と他方の部材との相対変位に追従して移動体収納手段及び移動体制御手段が変位し、両部材の相対変位量に応じて移動体収納手段の何れかの収納部から移動体が一つずつ第１仕切り板を通過し、他の移動体が第１仕切り板を通過するのが第２仕切り板によって規制されることになる。
従って、第１仕切り板を通過した移動体を回収し、移動体に付されたＩＣタグの情報を読み取り、その読み取った情報を処理することにより、一方の部材と他方の部材との間に生じた応答変形（累積変形、最大変形、及び残留変形）を検出することができる。
【０００９】
請求項２に係る発明は、請求項１に記載の応答変形検出装置であって、前記移動体収納手段は、前記複数の収納部からなる第１移動体収納部と、該第１移動体収納部の各収納部から落とされる移動体を受け取り、ランダムに配列した状態で収納する第２移動体収納部とからなり、前記第１移動体収納部と前記第２移動体収納部との間に、上下方向に一つの移動体を収納させ得る間隔をおいて前記第１仕切り板と第２仕切り板とが設けられていることを特徴とする。
【００１０】
本発明による応答変形検出装置によれば、第１移動体収納部の各収納部から落とされる移動体は、第１仕切り板を通過した後に第２移動体収納部にランダムに配列した状態で収納されることになり、この第２移動体収納部に収納された移動体のＩＣタグの情報を読み取り、その読み取った情報を処理することにより、一方の部材と他方の部材との間に生じた応答変形（累積変形、最大変形、及び残留変形）を検出することができる。
【００１１】
請求項３に係る発明は、請求項１又は２に記載の応答変形検出装置であって、前記第１仕切り板には、一つの移動体を通過させ得る大きさの第１貫通孔が設けられ、前記第２仕切り板には、前記第１貫通孔に対応する部分に該第１貫通孔の上方の部分を閉塞する閉塞部が設けられるとともに、該閉塞部の変位方向の両側に一つの移動体を通過させ得る大きさの第２貫通孔及び第３貫通孔が設けられていることを特徴とする。
【００１２】
本発明による応答変形検出装置によれば、第１仕切り板の第１貫通孔を一つの移動体が通過する際に、第１貫通孔の上方は第２仕切り板の閉塞部で閉塞されているので、他の移動体が第１貫通孔を連続して通過することはない。また、第２仕切り板の閉塞部の変位方向の両側に第２貫通孔及び第３貫通孔が設けられているので、第２仕切り板が変位方向の前後の何れの方向に変位しても、第２貫通孔及び第３貫通孔を介して第１仕切り板側に次の移動体が移動することになる。
【００１３】
請求項４に係る発明は、請求項２又は３に記載の応答変形検出装置であって、前記第２移動体収納部の入口部には、前記移動体の一つの重量で該入口部を閉塞し、前記移動体の二つ以上の重量で該入口部を開放させる開閉蓋が設けられていることを特徴とする。
【００１４】
本発明による応答変形検出装置によれば、第２移動体収納部の入口部は、二つ以上の移動体の重量で開閉蓋が開いて、第１移動体収納部から第２移動体収納部への移動体の移動を許容し、一つの移動体の重量で開閉蓋が閉じて、第１移動体収納部から第２移動体収納部への移動体の移動を規制することになるので、最後に残った一つの移動体のＩＣタグの情報を読み取り、その読み取った情報を処理することにより、一方の部材と他方の部材との間に生じた応答変形（残留変形）を検出することができる。
【００１５】
請求項５に係る発明は、請求項２から４の何れかに記載の応答変形検出装置であって、前記第２移動体収納部の近傍には、該第２移動体収納部内に収納される各移動体のＩＣタグに格納されている情報を読み取るための読み取り手段が設けられていることを特徴とする。
【００１６】
本発明による応答変形検出装置によれば、第２移動体収納部内に収納された移動体のＩＣタグの情報を読み取り手段によって読み取り、その読み取った情報をパーソナルコンピュータ等によって処理することにより、一方の部材と他方の部材との間に生じた応答変形（累積変形、最大変形、及び残留変形）を検出することができる。
【００１７】
請求項６に係る発明は、請求項２から５の何れかに記載の応答変形検出装置であって、前記第２仕切り板の上方には、一つの移動体を収納させ得る間隔をおいて第３仕切り板が設けられ、該第３仕切り板には、前記第２仕切り板の閉塞部の上方に対応する部分に第４貫通孔が設けられ、該第４貫通孔の両側に前記第２仕切り板の第２貫通孔及び第３貫通孔の上方の部分を閉塞する閉塞部が設けられ、該閉塞部の外側に第５貫通孔及び第６貫通孔が設けられていることを特徴とする。
【００１８】
本発明による応答変形検出装置によれば、第２仕切り板の上部に作用する移動体の重量を第３仕切り板に分散させることができるので、第２仕切り板に作用する移動体の重量を軽減することができ、移動体制御手段の動きを円滑にすることができることになる。
【００１９】
請求項７に係る発明は、請求項１から６の何れかに記載の応答変形検出装置であって、前記第１移動体収納部の収納部の列番号の最大値の絶対値をＮａ、仕切り板の数をＮｄ、第ｉ仕切り板の貫通孔の数をＮｏ（ｉ）、Ｎｄ≧２とすると、ｉ＝１〜Ｎｄにおいて、第ｉ仕切り板の貫通孔の数Ｎｏ（ｉ）は、以下の式で求められることを特徴とする請求項１から６の何れかに記載の応答変形検出装置。
ｉ≦Ｎａ−１のとき、Ｎｏ（ｉ）＝ｉ
ｉ≧Ｎａかつｉ＝Ｎａ＋２×ｍのとき、Ｎｏ（ｉ）＝Ｎａ
ｉ≧Ｎａかつｉ＝Ｎａ＋２×ｍ＋１のとき、Ｎｏ（ｉ）＝Ｎａ＋１
（ここで、ｍ＝０、１、２……）
【００２０】
本発明による応答変形検出装置によれば、移動体制御手段の複数の仕切り板の各々に設ける貫通孔の数を計算によって容易に算出することができる。
【００２１】
請求項８に係る発明は、相対的に変位可能な一方の部材と他方の部材との間に生じる相対変位を検出するための応答変形検出方法であって、前記一方の部材又は前記他方の部材の一方に追従して変位するとともに、複数の移動体を一列に並べてなる収納部が前記両部材の変位方向に複数列に設けられ、かつ各収納部からそれぞれ移動体を一つずつ落とし可能な移動体収納手段と、前記一方の部材又は前記他方の部材の他方に追従して変位するとともに、両部材の相対変位量に応じて、前記何れかの収納部から落とされる一つの移動体のみを通過させる第１仕切り板と、該第１仕切り板が一つの移動体を通過させる際に、他の移動体が第１仕切り板を通過するのを規制する第２仕切り板とを有する移動体制御手段とを備え、前記各収納部の各移動体には、それぞれＩＣタグが設けられるとともに、各移動体の各ＩＣタグには、各移動体が属する各収納部を識別するための識別情報が格納されている応答変形検出装置を用い、前記移動体収納手段から落とされた移動体に設けられているＩＣタグに格納されている情報を読み取り手段によって読み取ることにより、前記両部材の累積変形、最大変形、又は残留変形を検出することを特徴とする。
【００２２】
本発明による応答変形検出方法によれば、一方の部材と他方の部材との相対変位に追従して移動体収納手段及び移動体制御手段が変位し、両部材の相対変位量に応じて移動体収納手段の何れかの収納部から移動体が一つずつ第１仕切り板を通過し、他の移動体が第１仕切り板を通過するのを第２仕切り板によって規制されることになる。
従って、第１仕切り板を通過した移動体を回収し、移動体に付されたＩＣタグの情報を読み取り手段によって読み取り、その読み取った情報をパーソナルコンピュータ等によって処理することにより、一方の部材と他方の部材との間に生じた応答変形（累積変形、最大変形、及び残留変形）を検出することができる。
【発明の効果】
【００２３】
以上、説明したように、本発明の応答変形検出装置及び応答変形検出方法によれば、一方の部材と他方の部材との相対変位に追従して移動体収納手段及び移動体制御手段が変位し、両部材の相対変位量に応じて移動体収納手段の何れかの収納部から移動体が一つずつ第１仕切り板を通過し、他の移動体が第１仕切り板を通過するのを第２仕切り板によって規制することができるので、第１仕切り板を通過した移動体を回収して、移動体に付されているＩＣタグの情報を読み取り、その読み取った情報を処理することにより、一方の部材と他方の部材との間に生じた応答変形（累積変形、最大変形、及び残留変形）を検出することができることになる。
従って、一方の部材と他方の部材との間の応答変形を検出する場合に、高価な装置を必要とすることはなく、検出に要する費用を安く抑えることができる。また、第１仕切り板を通過した移動体を再び収納部に供給することにより、連続して繰り返し使用することができるので、定期的に部品を交換する必要はなく、メンテナンスフリーの状態で長期的に応答変形を検出でき、維持管理費を安く抑えることができる。
さらに、常時モニタリングする必要がなく、地震や強風等を経験した後に回収した移動体のＩＣタグの情報を読み取ればよいので、それによっても維持管理費を安く抑えることができる。
さらに、変位計や歪ゲージ等を用いた場合のように、変位計や歪ゲージ等と計測器とを配線を介して接続し、常時モニタリングする必要もなくなり、作業を容易にすることができる。
【発明を実施するための最良の形態】
【００２４】
以下、図面に示す本発明の実施の形態について説明する。
図１〜図１２には、本発明による応答変形検出装置の第１の実施の形態が示されていて、図１は全体を示す概略正面図、図２は図１の側面図、図３は構造物に取り付けた一例を示す概略図、図４は構造物に取り付けた他の例を示す概略図、図５は構造物の変形と時間との関係を示す説明図、図６は第２移動体収納部の入口部の説明図、図７〜図１２は動作を示す説明図である。
【００２５】
すなわち、本実施の形態の応答変形検出装置１０は、図１〜３に示すように、水平方向に相対的に変位可能な建物等の構造物１の上階２と下階４との間に設けられ、上階２と下階４との間に生じる水平方向への応答変形を検出するのに有効なものであって、構造物１の上階２又は下階４（本実施の形態においては上階２）に取り付けられる移動体制御手段３０と、下階４又は上階２（本実施の形態においては下階４）に取り付けられる移動体収納手段１１とを備えている。
なお、応答変形検出装置１０は、露出した状態で構造物１の上階２と下階４との間に設けてもよいし、図１〜図３に示すように、上階２と下階４との間に設けた間仕切り壁等の壁７によって遮蔽するように構成してもよい。
【００２６】
移動体収納手段１１は、図１及び図２に示すように、所定の長さ、直径のチューブ状の複数（本実施の形態では４つ）の収納部１６、１７、１８、１９を各々が上下方向を向くように横方向に一列に並べ、各収納部１６、１７、１８、１９内に各収納部１６、１７、１８、１９の内径よりも僅かに小さい球状の複数の移動体２０を上下方向に一列に並べた状態でそれぞれ収納し、各収納部１６、１７、１８、１９の下端開口部から移動体２０を一つずつ送り出し可能に構成した第１移動体収納部１２と、第１移動体収納部１２の下方に連続して設けられ、第１移動体収納部１２の４つの収納部１６、１７、１８、１９の下端開口部を合流させて、各収納部１６、１７、１８、１９の下端開口部から下方に送り出される移動体２０を受け取る漏斗状の移動体受け部２２と、移動体受け部２２から下方に送り出される移動体２０をランダムに配列された状態で収納する第２移動体収納部２３とを備えている。なお、第１移動体収納部１２を、５つ以上の収納部又は３つ以下の収納部によって構成してもよい。
【００２７】
第１移動体収納部１２の４つの収納部１６、１７、１８、１９、及び移動体受け部２２は第１ケーシング１３内に収納され、この第１ケーシング１３を介して４つの収納部１６、１７、１８、１９、及び移動体受け部２２が構造物１の下階４に取り付けられている。
【００２８】
第１ケーシング１３の下方には、第２移動体収納部２３を構成する第２ケーシング２４が対向して設けられ、この第２ケーシング２４を介して第２移動体収納部２３が構造物１の下階４に取り付けられている。第２ケーシング２４の上端部は、移動体２０の入口部２６を除いて鉄板等からなる遮蔽板２５によって閉塞され、この遮蔽板２５によって第２移動体収納部２３内に収納される各移動体２０に設けられた後述するＩＣタグ２１の情報を読み取る際に、第１移動体収納部１２側の移動体２０に設けられた後述するＩＣタグ２１の情報を誤って読み取るのを防止している。
なお、遮蔽板２５は、第２移動体収納部２３内に収納される各移動体２０に設けられたＩＣタグ２１の情報を読み取る際に、第１移動体収納部１２側の移動体２０に設けられたＩＣタグ２１の情報を誤って読み取る虞がない場合には、設ける必要はないものである。
【００２９】
第１移動体収納部１２の４つの収納部（第０収納部１６、第１収納部１７、第２収納部１８、及び第３収納部１９）には、同一形状、重量の複数の移動体２０がそれぞれ収納され、各収納部１６、１７、１８、１９の各移動体２０の表面にはＩＣタグ２１がそれぞれ貼着されている。ここで、ＩＣタグ２１とは、アンテナ付きＩＣチップをいう。
【００３０】
第０収納部１６の各移動体２０に貼着されるＩＣタグ２１には、第０収納部１６の移動体２０を識別するための情報（例えば、列番号「０」）が格納され、第１収納部１７の各移動体２０に貼着されるＩＣタグ２１には、第１収納部１７の移動体２０を識別するための情報（例えば、列番号「１」）が格納され、第２収納部１８の各移動体２０に貼着されるＩＣタグ２１には、第２収納部１８の移動体２０を識別するための情報（例えば、列番号「２」）が格納され、第３収納部１９の各移動体２０に貼着されるＩＣタグ２１には、第３収納部１９の移動体２０を識別するための情報（例えば、列番号「３」）が格納されている。
【００３１】
なお、各収納部１６、１７、１８、１９に収納される移動体２０は、球状に限らず他の形状としてもよい。要は、各収納部１６、１７、１８、１９内を下方に円滑に移動させて、第２移動体収納部２３側に送り出すことが可能な形状であればよい。
【００３２】
第１ケーシング１３の第１移動体収納部１２の下端部に対応する部分には、図１に示すように、第１ケーシング１３を水平方向に貫通する２つのスライド孔１４、１５が上下方向に所定の間隔をおいて設けられ、下側の第１スライド孔１４内を後述する移動体制御手段３０の第１仕切り板３２が水平方向にスライド可能に挿通し、上側の第２スライド孔１５内を第２仕切り板３４が水平方向にスライド可能に挿通している。
【００３３】
移動体収納手段１１は、図３に示すように、構造物１の下階４から上方に突出する取付け部５に第１ケーシング１３及び第２ケーシング２４がボルト等によって一体に固定され、これにより移動体収納手段１１が構造物１の下階４と一体に水平方向に変位可能に構成されている。
【００３４】
移動体制御手段３０は、図１〜図３に示すように、下向きコ形状のケーシング３１と、ケーシング３１の下端開口部を閉塞する第１仕切り板３２と、第１仕切り板３２の上方のケーシング３１の内面間に第１仕切り板３２と上下方向に所定の間隔をおいて平行に設けられる第２仕切り板３４とから構成されている。
【００３５】
移動体制御手段３０は、ケーシング３１の内側に移動体収納手段１１の第１ケーシング１３を配置し、第１ケーシング１３の第１スライド孔１４内に第１仕切り板３２をスライド可能に挿通させ、第２スライド孔１５内に第２仕切り板３４をスライド可能に挿通させることにより、移動体収納手段１１と水平方向に相対移動可能に組み立てられる。
【００３６】
移動体制御手段３０は、図３に示すように、構造物１の上階２から下方に突出する取付け部３にケーシング３１がボルト等によって一体に固定され、これにより移動体制御手段３０が構造物１の上階２と一体に相対的に変位可能に構成されている。
【００３７】
移動体制御手段３０と移動収納手段１１とは、静止状態で移動体制御手段３０のケーシング３１の中央部に移動体収納手段１１の第１ケーシング１３が位置するように、両ケーシング３１、１３の水平方向への相対位置が設定され、この状態で構造物１の上階２又は下階４にそれぞれ取り付けられ、構造物１の上階２と下階４との水平方向への相対変位に追従して、水平方向に相対変位するように構成されている。
なお、応答変形検出装置１０の移動体制御手段３０と移動体手段１１とを、図４に示すように、構造物１の上階２と下階４との間にダンパー６が介装されている箇所に設けてもよい。
【００３８】
移動体制御手段３０の第１仕切り板３２には、図１に示すように、静止状態で移動体収納手段１１の第１収納部１７の図中左側に対応する部分（第０収納部１６に対応する部分）に、一つの移動体２０を通過させ得る大きさの第１貫通孔３３が設けられ、移動体制御手段３０の水平方向への変位に追従して第１仕切り板３２が水平方向に移動し、第１貫通孔３３が第１収納部１７、第２収納部１８又は第３収納部１９の下方に位置することにより、第１貫通孔３３内を第１収納部１７の移動体２０、第２収納部１７の移動体２０、第３収納部１８の移動体２０が通過し、移動体受け部２２側に移動する。
【００３９】
移動体制御手段３０の第２仕切り板３４には、図１に示すように、静止状態で移動体収納手段１１の第１収納部１７に対応する部分に、一つの移動体２０を通過させ得る大きさの第２貫通孔３５が設けられ、移動体制御手段３０の水平方向への変位に追従して第２仕切り板３４が水平方向に移動し、第２貫通孔３５が第１収納部１７、第２収納部１８、第３収納部１９の下方に位置することにより、第２貫通孔３５内を第１収納部１７の移動体２０、第２収納部１８の移動体２０、第３収納部１９の移動体２０が通過し、第１仕切り板３２の上部に移動する。
【００４０】
第２仕切り板３４の第１仕切り板３２の第１貫通孔３３に対応する部分には、第１貫通孔３３の上方を閉塞する第１貫通孔３３と略同一大きさの閉塞部３６が設けられ、移動体制御手段３０の水平方向への変位に追従して第２仕切り板３４が水平方向に移動し、閉塞部３６が第１収納部１７、第２収納部１８、第３収納部１９の下方に位置することにより、第１収納部１７の移動体２０、第２収納部１８の移動体２０、第３収納部１９の移動体２０が第１仕切り板３２側に移動するのが規制される。
【００４１】
第２仕切り板３４の閉塞部３６の図中左側の部分には、一つの移動体２０を通過させ得る大きさの第３貫通孔３７が設けられ、移動体制御手段３０の水平方向への変位に追従して第２仕切り板３４が水平方向に移動し、第３貫通孔３７が第０収納部１６、第１収納部１７、第２収納部１８、第３収納部１９の下方に位置することにより、第３貫通孔３７を第０収納部１６の移動体２０、第１収納部１７の移動体２０、第２収納部１８の移動体２０、第３収納部１９の移動体２０が通過し、第１仕切り板３２の上部に移動する。
【００４２】
次に、上記のように構成した本実施の形態による応答変形検出装置１０の作用について、図１、図５〜図１２を参照しつつ説明する。
まず、静止状態においては、図１に示すように、移動体制御手段３０のケーシング３１の中央部に移動体収納手段１１の第１ケーシング１３が位置し、第１仕切り板３２の第１貫通孔３３が第１収納部１７よりも図中左側に位置していることにより、第１収納部１７、第２収納部１８、第３収納部１９の下端開口部は第１仕切り板３２によって閉塞され、第１収納部１７の移動体２０、第２収納部１８の移動体２０、第３収納部１９の移動体２０が第１仕切り板３２の第１貫通孔３３を通過することはなく、移動体受け部２２側への各収納部１７、１８、１９から移動体２０の移動は生じない。
【００４３】
そして、構造物１に地震等の外力が入力して、構造物１の上階２と下階４との間に水平方向への相対変位が生じた場合には、その変位に追従して両取付け部３、５を介して移動体収納手段１１と移動体制御手段３０とが水平方向へ相対変位する。
【００４４】
例えば、静止状態（「０」の位置）から図５の「１」の位置まで変形した場合を想定すると、図７に示すように、第１仕切り板３２の水平方向への移動に追従して第１貫通孔３３が第１収納部１７の下方に移動することにより、第１収納部１７の下端の移動体２０が第１貫通孔３３を通過して移動体受け部２２側に移動し、第２移動体収納部２３内に収納される。
この場合、第１仕切り板３２と一緒に第２仕切り板３４が水平方向へ移動することにより、第２仕切り板３４の閉塞部３６が第１収納部１７の下方に移動し、第１収納部１７の開口部が閉塞され、第１収納部１７の移動体２０の第１仕切り板３２側への移動が規制される。また、第２仕切り板３４の第２貫通孔３５は第２収納部１８の下方に移動し、第３貫通孔３７は第０収納部１６の下方に移動する。
【００４５】
次に、図５の「１」の位置から「２」の位置まで変形した場合を想定すると、図８に示すように、第１仕切り板３２の水平方向への移動に追従して第１貫通孔３３が第２収納部１８の下方に移動することにより、第２収納部１８の下端の移動体２０が第１貫通孔３３を通過して移動体受け部２２に移動し、第２移動体収納部２３内に収納される。
この場合、第１仕切り板３２と一緒に第２仕切り板３４が水平方向へ移動することにより、第２仕切り板３４の閉塞部３６が第２収納部１８の下方に移動し、第２収納部１８の開口部が閉塞され、第２収納部１８の移動体２０の第１仕切り板３２側への移動が規制される。また、第２仕切り板３４の第２貫通孔３５が第３収納部１９の下方に移動し、第３貫通孔３７が第１収納部１７の下方に移動し、第１収納部１７の移動体２０が第３貫通孔３７を通過し、第１仕切り板３２の上部に移動する。
【００４６】
次に、図５の「２」の位置から「３」の位置まで変形した場合を想定すると、図９に示すように、第１仕切り板３２の水平方向への移動に追従して第１貫通孔３３が第３収納部１９の下方に移動することにより、第３収納部１９の下端の移動体２０が第１貫通孔２３を通過して移動体受け部２２側に移動し、第２移動体収納部２３内に収納される。
この場合、第１仕切り板３２と一緒に第２仕切り板３４が水平方向へ移動することにより、第２仕切り板３４の閉塞部３６が第３収納部１９の下方に移動し、第３収納部１９の開口部が閉塞され、第３収納部１９の移動体２０の第２仕切り板３４側への移動が規制される。また、第２仕切り板３４の第２貫通孔３５が第３収納部１９よりも図中右側に移動し、第３貫通孔３７が第２収納部１８の下方に移動し、第２収納部１８の移動体２０が第３貫通孔３７を通過し、第１仕切り板３２の上部に移動する。
【００４７】
次に、図５の「３」の位置から「２」の位置まで変形した場合を想定すると、図１０に示すように、第１仕切り板３２の水平方向への移動に追従して第１貫通孔３３が第２収納部１８の下方に移動することにより、第２収納部１８の移動体２０が第１貫通孔３３を通過して移動体受け部２２側に移動し、第２移動体収納部２３内に収納される。
この場合、第１仕切り板３２と一緒に第２仕切り板３４が水平方向へ移動することにより、第２仕切り板３４の閉塞部３６が第２収納部１８の下方に移動し、第２収納部１８の開口部が閉塞され、第２収納部１８の移動体２０の第１仕切り板３２側への移動が規制される。また、第２仕切り板３４の第２貫通孔３５が第３収納部１９の下方に移動することにより、第３収納部１９の移動体２０が第２貫通孔３５を通過し、第１仕切り板３２の上部に移動し、第３貫通孔３７が第１収納部１７の下方に移動する。
【００４８】
次に、図５の「２」の位置から「３」の位置まで変形した場合を想定すると、図９に示すように、第１仕切り板３２の水平方向への移動に追従して第１貫通孔３３が第３収納部１９の下方に移動することにより、第３収納部１９の移動体２０が第１貫通孔３３を通過して移動体受け部２２側に移動し、第２移動体収納部２３内に収納される。
この場合、第１仕切り板３２と一緒に第２仕切り板３４が水平方向へ移動することにより、第２仕切り板３４の閉塞部３６が第３収納部１９の下方に移動し、第３収納部１９の開口部が閉塞され、第３収納部１９の移動体２０の第１仕切り板３２側への移動が規制される。また、第２仕切り板３４の第２貫通孔３５が第３収納部１９の図中右側に移動し、第３貫通孔３７が第２収納部１８の下方に移動し、第２収納部１８の移動体２０が第３貫通孔３７を通過し、第１仕切り板３２の上部に移動する。
【００４９】
次に、図５の「３」の位置から「２」の位置まで変形した場合を想定すると、図１０に示すように、第１仕切り板３２の水平方向への移動に追従して第１貫通孔３３が第２収納部１８の下方に移動し、第２収納部１８の移動体２０が第１貫通孔３３を通過して移動体受け部２２側に移動し、第２移動体収納部２３内に収納される。
この場合、第１仕切り板３２と一緒に第２仕切り板３４が水平方向へ移動することにより、第２仕切り板３４の閉塞部３６が第２収納部１８の下方に移動し、第２収納部１８の開口部が閉塞され、第２収納部１８の移動体２０の第１仕切り板３２側への移動が規制される。また、第２仕切り板３４の第２貫通孔３５が第３収納部１９の下方に移動し、第３収納部１９の移動体２０が第２貫通孔３５を通過し、第１仕切り板３２の上部に移動する。さらに、第３貫通孔３７が第１収納部１７の下方に移動する。
【００５０】
次に、図５の「２」の位置から「１」の位置まで変形した場合を想定すると、図１１に示すように、第１仕切り板３２の水平方向への移動に追従して第１貫通孔３３が第１収納部１７の下方に移動することにより、第１収納部１７の移動体２０が第１貫通孔３３を通過して移動体受け部２２側に移動し、第２移動体収納部２３内に収納される。
この場合、第１仕切り板３２と一緒に第２仕切り板３４が水平方向へ移動することにより、第２仕切り板３４の閉塞部３６が第１収納部１７の下方に移動し、第１収納部１７の開口部が閉塞され、第１収納部１７の移動体２０の第１仕切り板３２側への移動が規制される。また、第２仕切り板３４の第２貫通孔３５が第２収納部１８の下方に移動し、第２収納部１８の移動体２０が第２貫通孔３５を通過し、第１仕切り板３２の上部に移動する。さらに、第２仕切り板３４の第３貫通孔３７が第１収納部１７の図中左側に移動する。
【００５１】
次に、図５の「１」の位置から「０」の位置まで変形した場合を想定すると、図１２に示すように、第１仕切り板３２の水平方向への移動に追従して第１貫通孔３３が第０収納部１６の下方に移動することにより、第０収納部１６の移動体２０が第１貫通孔３３を通過して移動体受け部２２側に移動し、第２移動体収納部２３内に収納される。
この場合、第１仕切り板３２と一緒に第２仕切り板３４が水平方向へ移動することにより、第２仕切り板３４の閉塞部３６が第０収納部１６の下方に移動し、第０収納部１６の開口部が閉塞され、第０収納部１６の移動体２０の第１仕切り板３２側への移動が規制される。また、第２仕切り板３４の第２貫通孔３５が第１収納部１７の下方に移動し、第１収納部１７の移動体２０が第２貫通孔３５を通過し、第１仕切り板３２の上部に移動する。さらに、第２仕切り板３４の第３貫通孔３７が第０収納部１６の図中左側に移動する。
【００５２】
次に、図５の「０」の位置から図３の「１」の位置まで変形した場合を想定すると、図７に示すように、第１仕切り板３２の水平方向への移動に追従して第１貫通孔３３が第１収納部１７の下方に移動することにより、第１収納部１７の下端の移動体２０が第１貫通孔３３を通過して移動体受け部２２側に移動し、第２移動体収納部２３内に収納される。
この場合、第１仕切り板３２と一緒に第２仕切り板３４が水平方向へ移動することにより、第２仕切り板３４の閉塞部３６が第１収納部１７の下方に移動し、第１収納部１７の開口部が閉塞され、第１収納部１７の移動体２０の第１仕切り板３２側への移動が規制される。また、第２仕切り板３４の第２貫通孔３５は第２収納部１８の下方に移動し、第３貫通孔３７は第０収納部１６の下方に移動する。
【００５３】
そして、上記のような移動体収納手段１１と移動体制御手段３０との水平方向への相対変位に追従して、第１仕切り板３２と第２仕切り板３４との協働により、第１移動体収納部１２の何れかの収納部１６〜１９から移動体２０を第２移動体収納部２３側に移動させることにより、第２移動体収納部２３内に第０収納部１６の移動体１０、第１収納部１７の移動体２０、第２収納部１８の移動体２０、第３収納部１９の移動体２０がランダムに配列された状態で収納される。
【００５４】
そして、この第２移動体収納部２３内にランダムに配列された状態で収納されている移動体２０のＩＣタグ２１の情報を図２に示すように読み取り手段４０によって読み取り、この読み取った情報をパーソナルコンピュータ４５で処理することにより、構造物１の応答変形（累積変形、最大変形、及び残留変形）を検出することができる。読み取り手段４０としては、例えば、ＩＣタグ読み取り機能を備えた携帯情報端末（ＰＤＡ、携帯電話等）、専用のハンディターミナル等が挙げられるが、これらに限定することなく、ＩＣタグ２１の情報を読み取ることができるものであればよい。
【００５５】
ここで、累積変形（Ｄｃ）は、第１移動体収納部１２から第２移動体収納部２３へ移動した移動体２０の総数（ｎ）を読み取ることによって求められ、以下の（１）式によって求められる。ここで、ｄは基準変形量であり、図１中のｄに対応する。
累積変形：Ｄｃ＝ｎ×ｄ      ……（１）
この場合、列番号（０、１、２、３……）の区別は特に必要はない。
【００５６】
また、最大変形（Ｄｍ）は、第１移動体収納部１２から第２移動体収納部２３へ移動した移動体２０のうち、最大の列番号（Ｎｍ）を読み取ることによって求められ、以下の（２）式によって求められる。
最大変形：Ｄｍ＝Ｎｍ×ｄ    ……（２）
【００５７】
さらに、残留変形（Ｄｒ）は、第１移動体収納部１２から第２移動体収納部２３へ最後に移動した移動体の列番号（Ｎｒ）を読み取ることによって求められ、以下の式（３）によって求められる。
残留変形：Ｄｒ＝Ｎｒ×ｄ    ……（３）
【００５８】
例えば、図５において、基準変形量を「ｄ」とし、第２移動体収納部２３内に収納した移動体２０の総数をｎ＝９、収納した移動体２０の最大の列番号をＮｍ＝３、最後に収納した移動体２０の列番号をＮｒ＝１、基準変形量をｄ＝２とすると、累積変形は、ｎ×ｄ＝９×２＝１８、最大変形は、Ｎｍ×ｄ＝３×２＝６、残留変形は、Ｎｒ×ｄ＝１×２＝２となる。
図１３は、図５の変形−時間の関係を荷重−変形の関係に直したものである。この図１３の記載から、算出された累積変形（Ｄｃ）に荷重（Ｐ０）を乗ずることにより吸収したエネルギー量を検出することができるので、構造物１の上階２と下階４との間に介装されたダンパー６の状態を管理するのに有効となる。
【００５９】
なお、残留変形を検出する場合には、図６に示すように、第２移動体収納部２３の入口部２６にヒンジ機構２８によって開閉する開閉蓋２７を設け、一つの移動体２０の重量で開閉蓋２７が閉じ、二つ以上の移動体２０の重量で開閉蓋２７が開くように、ヒンジ機構２８のばね力を調整する。このような開閉蓋２７を第２移動体収納部２３の入口部２６に設けることにより、最後に残った一つの移動体２０を検出することができ、残留変形を検出することができる。
【００６０】
さらに、残留変形は、第１仕切り板３２の上部（最下段）の全ての移動体２０の中から欠けている移動体２０の列番号を求めることによっても検出することができる。
例えば、図７において、欠けている移動体の列番号（Ｎｒ）をＮｒ＝１、基準変形量をｄ＝２とすると、
残留変形（Ｄｒ）は、Ｄｒ＝Ｎｒ×ｄ＝１×２＝２
となる。
なお、上記の場合、必要に応じて、第１ケーシング１３の周面（第２仕切り板３４の上部に位置している部分の周面）、及び第２仕切り板３４の上面又は下面に遮蔽板を設けてもよい。
【００６１】
上記のように構成した本実施の形態による応答変形検出装置１０にあっては、構造物１の上階２と下階４との水平方向への相対変位に追従させて、移動体制御手段３０と移動体収納手段１１とを水平方向に相対変位させて、その変位量に応じて第１移動体収納部１２の第０収納部１６の移動体２０、第１収納部１７の移動体２０、第２収納部１８の移動体２０、又は第３収納部１９の移動体２０を第２移動体収納部２３側に移動させて収納するように構成したので、第２移動体収納部２３に収納した各移動体２０のＩＣタグ２１の情報をＩＣリーダー等の読み取り手段４０によって読み取り、この読み取った情報をパーソナルコンピュータ４５に転送し、パーソナルコンピュータ４５によって処理することにより、構造物１に生じた応答変形（累積変形、最大変形、及び残留変形）を検出することができる。
従って、構造物１に生じた応答変形を検出するのに高価な装置が不要になるので、検出に要する費用を安く抑えることができる。また、第１仕切り板３２を通過した移動体２０を再び各収納部１６〜１９に供給することにより、連続して繰り返し使用することができるので、定期的に部品を交換するようなことはなく、メンテナンスフリーの状態で長期的に応答変形を検出でき、維持管理費を安く抑えることができる。さらに、常時モニタリングする必要がなく、地震や強風等を経験した後に回収した移動体２０のＩＣタグ２１の情報を読み取ればよいので、それによっても維持管理費を安く抑えることができる。さらに、変位計や歪ゲージ等を用いた場合のように、変位計や歪ゲージ等と計測器とを配線を介して接続し、常時モニタリングする必要もなくなるので、作業を容易にすることができる。さらに、壁（間仕切り壁等）で遮蔽されていても、非接触の状態で応答変形を検出することができるので、構造物１の美観を損なうようなことはない。
【００６２】
なお、前記の説明においては、右方向への変位を検出する場合について説明したが、左方向への変位を検出する場合には、前記した応答変形検出装置１０と左右対称となる構成の応答変形検出装置（図示せず）を設ければよい。
【００６３】
また、左右両方向の変位を検出する場合には、前記した応答変形検出装置１０を左右一対となるように設け、両応答変形検出装置によって左右両方向の変位を検出すればよい。
【００６４】
さらに、左右両方の変位を検出する場合には、応答変形検出装置１０を図１４に示すように構成してもよい。
すなわち、移動体収納手段１１の第１移動体収納部１２の右側部分を、第１に示す応答変形検出装置１０と同様に、第０収納部１６、第１収納部１７、第２収納部１８、第３収納部１９によって構成し、左側部分を、第−１収納部１７ａ、第−２収納部１８ａ、第−３収納部１９ａによって構成し、第０収納部１６〜第３収納部１９内の移動体２０のＩＣタグ２１と同様に、第−１収納部１７ａ〜第−３収納部１９ａ内の移動体のＩＣタグ２１にも、第−１収納部１７ａ〜第−３収納部１９ａの移動体２０を識別するための情報（例えば、列番号「−１」〜「−３」）を格納し、移動体制御手段３０の第１仕切り板３２を、静止状態で移動体収納手段１１の第０収納部１６の下方に対応する部分に第１貫通孔３３が位置するように構成し、第２仕切り板３４を、静止状態で移動体収納手段１１の第１収納部１７に対応する部分に第２貫通孔３５が位置し、第−１収納部１７ａに対応する部分に第３貫通孔３７が位置し、第０収納部１６に対応する部分に閉塞部３６が位置するように構成する。
そして、このような構成の応答変形検出装置１０によっても、左右両方向への変位を検出することができるものである。
【００６５】
図１５〜図２６には、本発明による応答変形検出装置の第２の実施の形態が示されていて、図１５は全体を示す概略正面図、図１６〜図２５は動作を示す説明図、図２６は構造物の変形と時間との関係を示した説明図である。
【００６６】
すなわち、本実施の形態の応答変形検出装置１０は、移動体制御手段３０の第２仕切り板３４の上方に上下方向に一つの移動体２０を収納させ得る間隔をおいて第３仕切り板５０を設け、第３仕切り板５０の上方に上下方向に一つの移動体２０を収納させる間隔をおいて第４仕切り板５６を設けたものであって、その他の構成は前記第１の実施の形態に示すものと同様である。
【００６７】
この場合、第３仕切り板５０には、図１５に示すように、第２仕切り板３４の閉塞部（第１閉塞部３６）の上方に対応する部分に第４貫通孔５１、第２貫通孔３５の上方に対応する部分に第２閉塞部５４、第３貫通孔３７の上方に対応する部分に第３閉塞部５５、第２閉塞部５４の外側（図中右側の部分）に第５貫通孔５２、第３閉塞部５５の外側（図中左側の部分）に第６貫通孔５３がそれぞれ設けられている。なお、第４貫通孔５１、第５貫通孔５２及び第６貫通孔５３は、一つの移動体２０を通過させ得る大きさに形成され、第２閉塞部５４及び第３閉塞部５５は第２貫通孔３５及び第３貫通孔３７と略同一の大きさに形成されている。
【００６８】
また、第４仕切り板５６には、第３仕切り板５０の第４貫通孔５１の上方に対応する部分に第４閉塞部６１、第５貫通孔５２の上方に対応する部分に第５閉塞部６２、第６貫通孔５３の上方に対応する部分に第６閉塞部６３、第２閉塞部５４の上方に対応する部分に第７貫通孔５７、第３閉塞部５５の上方に対応する部分に第８貫通孔５８、第５閉塞部６２の外側（図中右側の部分）に第９貫通孔５９、第６閉塞部６３の外側（図中左側の部分）に第１０貫通孔６０がそれぞれ設けられている。なお、第７貫通孔５７、第８貫通孔５８、第９貫通孔５９及び第１０貫通孔６０は、一つの移動体２０を通過させ得る大きさに形成され、第４閉塞部６１、第５閉塞部６２及び第６閉塞部６３は第４貫通孔５１、第５貫通孔５２及び第６貫通孔５３と略同一の大きさに形成されている。
【００６９】
そして、本実施の形態に示す応答変形検出装置１０にあっても、例えば、図２６に示すように、静止状態（「０」の位置）から「１」→「２」→「３」→「２」→「３」→「２」→「１」→「０」→「１」のように変形した場合を想定すると、図１６〜図２５のように、第１収納部１７の移動体２０、第２収納部１８の移動体２０、第３収納部１９の移動体２０、第２収納部１８の移動体２０、第３収納部１９の移動体２０、第２収納部１８の移動体２０、第１収納部１７の移動体２０、第０収納部１６の移動体２０、第１収納部１７の移動体２０が順次第２移動体収納部２３内に収納される。
【００７０】
そして、上記のように構成した本実施の形態による応答変形検出装置１０にあっても、前記第１の実施の形態に示すものと同様に、構造物１の上階２と下階４との水平方向への相対変位に追従させて、移動体制御手段２３と移動体収納手段１１とを水平方向に相対変位させて、その変位量に応じて第１移動体収納部１２の第０収納部１６の移動体２０、第１収納部１７の移動体２０、第２収納部１８の移動体２０、又は第３収納部１９の移動体２０を第２移動体収納部２３側に移動させて収納するように構成したので、第２移動体収納部２３に収納した各移動体２０のＩＣタグ２１の情報をＩＣリーダー等の読み取り手段４０によって読み取り、この読み取った情報をパーソナルコンピュータ４５に転送し、パーソナルコンピュータ４５によって処理することにより、構造物１に生じた応答変形（累積変形、最大変形、及び残留変形）を検出することができる。
【００７１】
従って、構造物１に生じた応答変形を検出するのに高価な装置が不要になるので、検出に要する費用を安く抑えることができる。また、第１仕切り板３２を通過した移動体２０を再び各収納部１６〜１９に供給することにより、連続して繰り返し使用することができるので、定期的に部品を交換するようなことはなく、メンテナンスフリーの状態で長期的に応答変形を検出でき、維持管理費を安く抑えることができる。さらに、常時モニタリングする必要がなく、地震や強風等を経験した後に回収した移動体２０のＩＣタグ２１の情報を読み取ればよいので、それによっても維持管理費を安く抑えることができる。さらに、変位計や歪ゲージ等を用いた場合のように、変位計や歪ゲージ等と計測器とを配線を介して接続し、常時モニタリングする必要もなくなるので、作業を容易にすることができる。さらに、壁（間仕切り壁等）で遮蔽されていても、非接触の状態で応答変形を検出することができるので、構造物１の美観を損なうようなことはない。
【００７２】
さらに、本実施の形態の応答変形検出装置１０は、第１仕切り板３２、第２仕切り板３４、第３仕切り板５０及び第４仕切り板５６の４枚の仕切り板を使用しているので、第２仕切り板３４の上部に作用する移動体２０の重量を第３仕切り板５０と第４仕切り板５６に分散させることができる。
従って、第２仕切り板３４、第３仕切り板５０及び第４仕切り板５６が負担する移動体２０の重量を軽減させることができるので、移動体制御手段３０の水平方向への動きを円滑にすることができ、速度の大きい応答変形にも十分に追従することが可能となる。
【００７３】
図２７には、本発明による応答変形検出装置の第３の実施の形態が示されていて、本実施の形態に示す応答変形検出装置１０は、移動体収納手段１１の第１移動体収納部１２を、第０収納部１６、第１収納部１７、第２収納部１８、第３収納部１９、第−１収納部１７ａ、第−２収納部１８ａ、第−３収納部１９ａによって構成し、正側と負側の両方向の応答変形に対応できるようにしたものであって、その他の構成は前記第２の実施の形態に示すものと同様である。
【００７４】
そして、本実施の形態の応答変形検出装置１０にあっても、前記第１の実施の形態に示すものと同様に、構造物１の上階２と下階４との水平方向への相対変位に追従させて、移動体制御手段３０と移動体収納手段１１とを水平方向に相対変位させて、その変位量に応じて第１移動体収納部１２の第０収納部１６の移動体２０、第１収納部１７の移動体２０、第２収納部１８の移動体２０、第３収納部１９の移動体２０、第−１収納部１７ａの移動体２０、第−２収納部１８ａの移動体２０、又は第−３収納部１９ａの移動体２０を第２移動体収納部２３側に移動させて収納するように構成したので、第２移動体収納部２３に収納した各移動体２０のＩＣタグ２１の情報をＩＣリーダー等の読み取り手段４０によって読み取り、この読み取った情報をパーソナルコンピュータ４５に転送し、パーソナルコンピュータ４５によって処理することにより、構造物１に生じた正側、負側の両方向の応答変形（累積変形、最大変形、及び残留変形）を検出することができる。
【００７５】
従って、構造物１に生じた応答変形を検出するのに高価な装置が不要になるので、検出に要する費用を安く抑えることができる。また、第１仕切り板３２を通過した移動体２０を再び各収納部１６〜１９に供給することにより、連続して繰り返し使用することができるので、定期的に部品を交換するようなことはなく、メンテナンスフリーの状態で長期的に応答変形を検出でき、維持管理費を安く抑えることができる。さらに、常時モニタリングする必要がなく、地震や強風等を経験した後に回収した移動体２０のＩＣタグ２１の情報を読み取ればよいので、それによっても維持管理費を安く抑えることができる。さらに、変位計や歪ゲージ等を用いた場合のように、変位計や歪ゲージ等と計測器とを配線を介して接続し、常時モニタリングする必要もなくなるので、作業を容易にすることができる。さらに、壁（間仕切り壁等）で遮蔽されていても、非接触の状態で応答変形を検出することができるので、構造物１の美観を損なうようなことはない。
【００７６】
また、本実施の形態においても、第２の実施の形態の応答変形検出装置１０と同様に、第１仕切り板３２、第２仕切り板３４、第３仕切り板５０及び第４仕切り板５６の４枚の仕切り板を使用しているので、第２仕切り板３４の上部に作用する移動体２０の重量を第３仕切り板５０と第４仕切り板５６に分散させることができる。
従って、第２仕切り板３４、第３仕切り板５０及び第４仕切り板５６が負担する移動体２０の重量を軽減させることができるので、移動体制御手段３０の水平方向への動きを円滑にすることができ、速度の大きい応答変形にも十分に追従することが可能となる。
【００７７】
上記のように構成した各実施の形態による応答変形検出装置１０において、第１移動体収納部１２の収納部の列番号の最大値の絶対値をＮａ、仕切り板の数をＮｄ、第ｉ仕切り板の貫通孔の数をＮｏ（ｉ）とし、Ｎｄ≧２とすると、
ｉ＝１〜Ｎｄにおいて、
ｉ≦Ｎａ−１のとき、    Ｎｏ（ｉ）＝ｉ
ｉ≧Ｎａかつｉ＝Ｎａ＋２×ｍのとき、    Ｎｏ（ｉ）＝Ｎａ
ｉ≧Ｎａかつｉ＝Ｎａ＋２×ｍ＋１のとき、    Ｎｏ（ｉ）＝Ｎａ＋１
（ここで、ｍ＝０、１、２……）
となる。
【００７８】
例えば、図２８に示すように、Ｎａ＝３、Ｎｄ＝４の場合には、
ｉ＝１〜Ｎｄ（＝４）において、
ｉ＝１    Ｎｏ（１）＝１
ｉ＝２    Ｎｏ（２）＝２
ｉ＝３    Ｎｏ（３）＝３（＝Ｎａ）
ｉ＝４    Ｎｏ（４）＝４（＝Ｎａ＋１）
となる。
【００７９】
また、例えば、図２９に示すように、Ｎａ＝３、Ｎｄ＝６の場合には、
ｉ＝１〜Ｎｄ（＝６）において、
ｉ＝１    Ｎｏ（１）＝１
ｉ＝２    Ｎｏ（２）＝２
ｉ＝３    Ｎｏ（３）＝３（＝Ｎａ）
ｉ＝４    Ｎｏ（４）＝４（＝Ｎａ＋１）
ｉ＝５    Ｎｏ（５）＝３（＝Ｎａ）
ｉ＝６    Ｎｏ（６）＝４（＝Ｎａ＋１）
となる。
従って、上記の関係式を用いることにより、仕切り板に設ける貫通孔の数を容易に算出することができる。
【００８０】
なお、前記第１〜第３の実施の形態においては、２枚又は４枚の仕切り板を使用した例について説明したが、３枚又は５枚以上の仕切り板を使用してもよいものであり、その場合にも同様の作用効果を奏する。
【図面の簡単な説明】
【００８１】
【図１】本発明による応答変形検出装置の第１の実施の形態を示した概略正面図である。
【図２】図１の側面図である。
【図３】図１の応答変形検出装置を構造物の上階と下階との間に取り付けた状態を示した説明図である。
【図４】取付け状態の変形例を示した説明図である。
【図５】構造物の変形と時間との関係を示した説明図である。
【図６】図１に示す応答変形検出装置の第２移動体収納部の入口部の説明図である。
【図７】図１に示す応答変形検出装置の動作を示した説明図であって、静止状態から図５の「１」の位置まで変形したときの状態を示した説明図である。
【図８】図５の「１」の位置から「２」の位置まで変形したときの状態を示した説明図である。
【図９】図５の「２」の位置から「３」の位置まで変形したときの状態を示した説明図である。
【図１０】図５の「３」の位置から「２」の位置まで変形したときの状態を示した説明図である。
【図１１】図５の「２」の位置から「１」の位置まで変形したときの状態を示した説明図である。
【図１２】図５の「１」の位置から「０」の位置まで変形したときの状態を示した説明図である。
【図１３】図５の変形−時間の関係を荷重−変形の関係に直して表した説明図である。
【図１４】本発明による応答変形検出装置の変形例を示した概略正面図である。
【図１５】本発明による応答変形検出装置の第２の実施の形態を示した概略正面図である。
【図１６】図１５に示す応答変形検出装置の動作を示した説明図であって、図２６の「０」の位置の状態（静止状態）を示す説明図である。
【図１７】図２６の「０」の位置から「１」の位置まで変形したときの状態を示した説明図である。
【図１８】図２６の「１」の位置から「２」の位置まで変形したときの状態を示した説明図である。
【図１９】図２６の「２」の位置から「３」の位置まで変形したときの状態を示した説明図である。
【図２０】図２６の「３」の位置から「２」の位置まで変形したときの状態を示した説明図である。
【図２１】図２６の「２」の位置から「３」の位置まで変形したときの状態を示した説明図である。
【図２２】図２６の「３」の位置から「２」の位置まで変形したときの状態を示した説明図である。
【図２３】図２６の「２」の位置から「１」の位置まで変形したときの状態を示した説明図である。
【図２４】図２６の「１」の位置から「０」の位置まで変形したときの状態を示した説明図である。
【図２５】図２６の「０」の位置から「１」の位置まで変形したときの状態を示した説明図である。
【図２６】構造物の変形と時間との関係を示した説明図である。
【図２７】本発明による応答変形検出装置の第３の実施の形態を示した概略正面図である。
【図２８】仕切り板に設ける貫通孔の数の算出方法の一例を示した説明図である。
【図２９】仕切り板に設ける貫通孔の数の算出方法の他例を示した説明図である。
【符号の説明】
【００８２】
１  構造物、２  上階、３  取付け部、４  下階、５  取付け部、６  ダンパー、
７  壁、１０  応答変形検出装置、１１  移動体収納手段、１２  第１移動体収納部、
１３  第１ケーシング、１４  第１スライド孔、１５  第２スライド孔、
１６  第０収納部、１７  第１収納部、１７ａ  第−１収納部、
１８  第２収納部、１８ａ  第−２収納部、
１９  第３収納部、１９ａ  第−３収納部、
２０  移動体、２１  ＩＣタグ、２２  移動体受け部、２３  第２移動体収納部、
２４  第２ケーシング、２５  遮蔽板、２６  入口部、２７  開閉蓋、
２８  ヒンジ機構、３０  移動体制御手段、３１  ケーシング、３２  第１仕切り板、
３３  第１貫通孔、３４  第２仕切り板、３５  第２貫通孔、
３６  閉塞部（第１閉塞部）、３７  第３貫通孔、４０  読み取り手段、
４５  パーソナルコンピュータ、５０  第３仕切り板、５１  第４貫通孔、
５２  第５貫通孔、５３  第６貫通孔、５４  第２閉塞部、５５  第３閉塞部、
５６  第４仕切り板、５７  第７貫通孔、５８  第８貫通孔、５９  第９貫通孔、
６０  第１０貫通孔、６１  第４閉塞部、６２  第５閉塞部、６３  第６閉塞部、
【図１】
2007232706.tif 000003
【図２】
2007232706.tif 000004
【図３】
2007232706.tif 000005
【図４】
2007232706.tif 000006
【図５】
2007232706.tif 000007
【図６】
2007232706.tif 000008
【図７】
2007232706.tif 000009
【図８】
2007232706.tif 000010
【図９】
2007232706.tif 000011
【図１０】
2007232706.tif 000012
【図１１】
2007232706.tif 000013
【図１２】
2007232706.tif 000014
【図１３】
2007232706.tif 000015
【図１４】
2007232706.tif 000016
【図１５】
2007232706.tif 000017
【図１６】
2007232706.tif 000018
【図１７】
2007232706.tif 000019
【図１８】
2007232706.tif 000020
【図１９】
2007232706.tif 000021
【図２０】
2007232706.tif 000022
【図２１】
2007232706.tif 000023
【図２２】
2007232706.tif 000024
【図２３】
2007232706.tif 000025
【図２４】
2007232706.tif 000026
【図２５】
2007232706.tif 000027
【図２６】
2007232706.tif 000028
【図２７】
2007232706.tif 000029
【図２８】
2007232706.tif 000030
【図２９】
2007232706.tif 000031